(57)【要約】  単一の材料シート（１）から製造されたコレクタカード用包装（２）を含むコレクタカード包装アセンブリ。本発明によるコレクタカード包装アセンブリは、前記中央部分（１０）の上、ならびに、前記上部フラップ（２２）、前記下部フラップ（３２）、前記第１の側部フラップ（４２）および前記第２の側部フラップ（５２）の下に位置付けされるように前記包装（２）内に寸法付けされ、かつ収容された、限られた数のコレクタカード（３００）を含む。【選択図】図４
2014528388.tif 000002
【特許請求の範囲】
【請求項１】
−上辺（２０）、下辺（３０）、第１の側辺（４０）および第２の側辺（５０）を含む周囲を備えた矩形中央部分（１０）と、
−上部折畳域（２４）によって前記上辺（２０）に連結された上部フラップ（２２）と、
−下部折畳域（３４）によって前記下辺（３０）に連結された下部フラップ（３２）と、
−第１の側部折畳域（４４）によって前記第１の側辺（４０）に連結された第１の側部フラップ（４２）と、
−第２の側部折畳域（５４）によって前記第２の側辺（５０）に連結された第２の側部フラップ（５２）と、
を含む単一の材料シート（１）において、
前記上部フラップ（２２）および前記下部フラップ（３２）がそれぞれ、前記上部折畳域および前記下部折畳域に沿って前記矩形中央部分（１０）の方へ折り畳まれ、
前記第１の側部フラップ（４２）が、前記第１の側部折畳域に沿って前記中央部分（１０）の方へ折り畳まれ、
前記矩形中央部分（１０）とは反対に面する前記第１の側部フラップの面（４８）に、糊（６０）が施され、
前記第２の側部フラップ（５２）が、糊（６０）が施された前記第１の側部フラップ（４２）の前記面（４８）と接触するように、前記第２の側部折畳域（５４）に沿って前記中央部分（１０）の方へ折り畳まれ、
前記第１の側部フラップ（４２）および前記第２の側部フラップ（５２）が、前記中央部分（１０）上に折り畳まれた時に前記中央部分（１０）を完全に覆うように寸法付けされ、
前記上部フラップおよび前記下部フラップ（２２、３２）の深さ（２６、３６）がそれぞれ、前記上部折畳域および下部折畳域（２４、３４）の深さ（２８、３８）を超えるように、前記上部フラップ（２２）および前記下部フラップ（３２）が寸法付けされた、
単一の材料シート（１）から、製造されたコレクタカード用包装（２）を含むコレクタカード包装アセンブリにおいて、
前記中央部分（１０）の上、ならびに、前記上部フラップ（２２）、前記下部フラップ（３２）、前記第１の側部フラップ（４２）および前記第２の側部フラップ（５２）の下に位置付けされるように前記包装（２）内に寸法付けされ、かつ収容された、限られた数のコレクタカード（３００）をさらに含むことを特徴とするコレクタカード包装アセンブリ。
【請求項２】
請求項１に記載のコレクタカード包装アセンブリにおいて、前記限られた数が、１〜２５、例えば１〜１５、好ましくは１〜１０の範囲にあることを特徴とするコレクタカード包装アセンブリ。
【請求項３】
請求項１または２に記載のコレクタカード包装アセンブリにおいて、前記限られた数のコレクタカード（３００）が、積み上げられた時、厚さが１０ｍｍ未満、例えば８ｍｍ未満、好ましくは５ｍｍ未満であることを特徴とするコレクタカード包装アセンブリ。
【請求項４】
請求項１乃至３の何れか１項に記載のコレクタカード包装アセンブリにおいて、前記折畳域（２４、３４、４４、５５）が、少なくとも１つの折畳線（１００）を含むことを特徴とするコレクタカード包装アセンブリ。
【請求項５】
請求項１乃至４の何れか１項に記載のコレクタカード包装アセンブリにおいて、前記折畳域（２４、３４、４４、４５）が、複数の平行な折畳線（１００）を含むことを特徴とするコレクタカード包装アセンブリ。
【請求項６】
請求項１乃至５の何れか１項に記載のコレクタカード包装アセンブリにおいて、少なくとも１つの抜き取り可能なカード（２００）が、前記単一の材料シート（１）上に予め印刷されていることを特徴とするコレクタカード包装アセンブリ。
【請求項７】
請求項１乃至６の何れか１項に記載のコレクタカード包装アセンブリにおいて、少なくとも１つの抜き取り可能なカード（２００）が、前記単一の材料シート（１）上に予め印刷されていることを特徴とするコレクタカード包装アセンブリ。
【請求項８】
請求項７に記載のコレクタカード包装アセンブリにおいて、前記少なくとも１つの抜き取り可能なカード（２００）が、前記少なくとも１つの抜き取り可能なカード（２００）を前記単一の材料シート（１）から抜き取るためのミシン目が入った縁部を含むことを特徴とするコレクタカード包装アセンブリ。
【請求項９】
請求項７または８に記載のコレクタカード包装アセンブリにおいて、前記少なくとも１つの抜き取り可能なカード（２００）が、任意の形状を含むことを特徴とするコレクタカード包装アセンブリ。
【請求項１０】
請求項１乃至９の何れか１項に記載のコレクタカード包装アセンブリにおいて、前記単一の材料シート（１）が、紙またはボール紙の単一シートであることを特徴とするコレクタカード包装アセンブリ。
【請求項１１】
請求項１乃至１０の何れか１項に記載のコレクタカード包装アセンブリにおいて、前記第１の側部フラップ（４２）および前記第２の側部フラップ（５２）によって形成された前記上部フラップ（２２）および前記下部フラップ（３２）のカバーから、前記上部フラップ（２２）および前記下部フラップ（３２）を塑性変形なく抜き取ることができないように、前記単一の材料シート（１）が十分硬質であることを特徴とするコレクタカード包装アセンブリ。
【請求項１２】
請求項１乃至１１の何れか１項に記載の前記コレクタカード包装アセンブリを製造するための方法において、
−前記コレクタカード用包装（２）の前記第１の側辺（２０）と実質的に平行な搬送方向（Ｆ）に沿って、前記コレクタカード用包装（２）を連続的に移動させるステップと、
−前記上部フラップ（２２）と前記中央部分（１０）との角度（２５）が中間値に達し、前記下部フラップ（３２）と前記中央部分（１０）との角度（３５）もまた中間値に達するまで、前記上部フラップ（２２）および前記下部フラップ（３２）をそれぞれ、前記上部折畳域および前記下部折畳域に沿って前記矩形中央部分の方へ折り畳み、前記中間値が、０°より大きく１８０°未満、好ましくは６０°より大きく１２０°未満、例えば１００°であるステップと、
−前記矩形中央部分（１０）の上に、１つまたは複数のコレクタカード（３００）を配置するステップと、
−前記上部フラップ（２２）および前記下部フラップ（３２）をそれぞれ、前記上部折畳域および前記下部折畳域に沿って前記矩形中央部分（１０）の方へ折り畳むステップと、
−続いて、前記第１の側部フラップ（４２）を、前記第１の側部折畳域に沿って前記中央部分（１０）の方へ折り畳むステップと、
−前記矩形中央部分（１０）とは反対に面する前記第１の側部フラップの前記面（４８）に、糊（６０）を施すステップと、
−続いて、前記第２の側部フラップ（５２）を、糊（６０）が施された前記第１の側部フラップ（４２）の前記面（４８）と接触するように、前記第２の側部折畳域（５４）に沿って前記中央部分（１０）の方へ折り畳むステップと、
を含むことを特徴とする方法。
【請求項１３】
請求項１２に記載の前記コレクタカード包装アセンブリを製造するための方法において、前記矩形中央部分（１０）の上に１つまたは複数のコレクタカード（３００）を配置する前に、前記第１の側部折畳域（４２）と前記中央部分（１０）との角度（４５）が中間値に達するまで、前記第１の側部フラップ（４２）を、前記第１の側部折畳域（４４）に沿って前記矩形中央部分（１０）の方へ折り畳み、前記中間値が、０°より大きく１８０°未満、好ましくは６０°より大きく１２０°未満、例えば９０°であることを特徴とする方法。
【請求項１４】
請求項１２または１３に記載の前記コレクタカード包装アセンブリを製造するための方法において、製造工程中に、前記コレクタカード用包装（２）の前記第１の側辺（２０）と実質的に平行な搬送方向Ｆに沿って、前記コレクタカード用包装（２）を連続的に移動させることを特徴とする方法。
【発明の詳細な説明】
【技術分野】
【０００１】
本発明は、一般に、コレクタカードの包装に関する。
【背景技術】
【０００２】
トレーディングカードまたはコレクタカードは、通常ボール紙または厚い紙で作られたカードであり、通常、特定の人物、場所または物（架空もしくは実在）の画像、および絵柄の短い説明と共に、例えばゲームの特徴を説明する他の文章を含む。対象物の構成およびカード上の内容に関して、広範で様々な種類のコレクタカードがある。コレクタカードは従来、スポーツに関連しているが、サッカーのカードが特によく知られている。
【０００３】
これらのコレクタカード用包装は、特定の要件を満たす必要がある。これらのコレクタカードは、通常のトランプセットと対照的に、限られた数のカードを含むパッケージで通常小売りされる。さらに、最終消費者が開封する前にパッケージの内容が変更されなかったことを保証するために、跡を残さずに小売包装を開閉することができないことが要求される。したがって、通常、開放可能に開封することができるボール箱の形態の１組のトランプ用の従来の包装は、そのようなコレクタカードを包装するのに適していない。さらにそのようなコレクタカードの包装は、１組のトランプをその包装に挿入するための従来の製造方法では難しく、扱うことができるカードの数の限界がより低い。１組のカードは、上部または底部の開口端部を通じて、予め形成された箱形包装に自動的に挿入されなければならず、このことは、この開口端部が積み上げられたカードの高さ、例えば約２０ｍｍなどに対応する特定の最小寸法を有する場合にのみ、確実に行うことができる。
【０００４】
フローパックとも呼ばれる、知られている種類のコレクタカード用包装は、金属フィルムのコレクタカード用包装である。フィルムは、上部および底部、ならびに両側部で糊付けまたは熱融着される。そのような包装は、上記の要件を満たすが、細心の注意を要し、製造中、陳列中および取扱い中に不注意に破損する危険がある。さらに、金属フィルムを引き裂いて開封することは容易ではなく、金属フィルム材料は高価であり、また金属廃棄物を生じさせる。金属フィルム包装はまた、その中にコレクタカードを包装する前に、専用の印刷機で予め印刷する必要がある。米国特許第４８４１７１２号明細書は、コレクタカードを含むそのようなフローパックを製造するための方法を示している。この文書から、特に、１つの保護パウチを次の保護パウチから離して密封するためにパッケージの搬送方向と直交する方向に、しばしば熱融着または糊付けすることによって、パッケージを密封する必要があるため、そのような包装アセンブリを大量生産する処理能力には限界があることが明らかである。さらにこれは、金属フィルム上に予め印刷された内容とタイミングを合わせるように行う必要がある。これらの、製造工程における搬送方向と直交する作業、および細心の注意を要するタイミング合わせを必要とする作業によって、そのような製造方法の処理能力には限界があり、また、例えばコレクタカードを包装に正しく合わせていない場合、コレクタカードを破損する危険がある。
【０００５】
これらの問題は、例えば、ボール紙包装の内側に直接印刷され、かつ抜き取り易いように、例えばミシン目が入った縁部に囲まれたサッカー選手の写真などが付いた多数の抜き取り可能なカードを有するボール紙包装を含む、別の種類のコレクタカード用包装によって部分的に解決される。抜き取り可能なカード上の画像がこれ以上見えないように、ボール紙包装は２つに折り畳まれ、包装を閉じるために少なくとも１辺が糊付けされ、したがって、カードの裏面が包装の外側の一部となる。この閉じた辺を切り離すと、包装が開き、それによってミシン目が入った縁部に沿ってカードを抜き取ることができる。
【０００６】
この種のコレクタカード包装に関する問題は、ボール紙包装では、製造工場で仕上げられる綺麗に切られたコレクタカードと対照的に、抜き取り可能なカードの周りには綺麗な縁部が得られないことである。さらに、高級品質のコレクタカードは、例えばミシン目が入った縁部など、容易に抜き取ることを可能にする特徴と組み合わせることができない、光沢のあるフォイルのような品質で印刷される。さらなる問題は、この包装の破損は直接、この包装の一部である抜き取り可能なカードの破損になることである。
【０００７】
さらなるカード包装が、欧州特許第００２８６９３号明細書から知られている。その明細書には、請求項１の前提部で記載されるようなカード包装が説明されている。
【０００８】
本発明の目的は、先行技術の問題を克服し、より効率的な製造方法を可能にし、特殊用途の印刷工程を必要とせず、限られた数のコレクタカードによく適しているコレクタカード用包装を提供することである。
【発明の概要】
【０００９】
本発明の第１の態様によれば、
−上辺、下辺、第１の側辺および第２の側辺を含む周囲を備えた矩形中央部分と、
−上部折畳域によって前記上辺に連結された上部フラップと、
−下部折畳域によって前記下辺に連結された下部フラップと、
−第１の側部折畳域によって前記第１の側辺に連結された第１の側部フラップと、
−第２の側部折畳域によって前記第２の側辺に連結された第２の側部フラップと、
を含む単一の材料シートにおいて、
前記上部フラップおよび前記下部フラップがそれぞれ、前記上部折畳域および前記下部折畳域に沿って前記矩形中央部分の方へ折り畳まれ、
前記第１の側部フラップが、前記第１の側部折畳域に沿って前記中央部分の方へ折り畳まれ、
前記矩形中央部分とは反対に面する前記第１の側部フラップの面に糊が施され、
前記第２の側部フラップが、糊を施された前記第１の側部フラップの面と接触するように、前記第２の側部折畳域に沿って前記中央部分の方へ折り畳まれ、
前記第１の側部フラップおよび前記第２の側部フラップが、前記中央部分上に折り畳まれた時に前記中央部分を完全に覆うように寸法付けされ、
前記上部フラップおよび前記下部フラップの深さがそれぞれ、前記上部折畳域および前記下部折畳域の深さを超えるように、前記上部フラップおよび前記下部フラップが寸法付けされた、
単一の材料シートから、製造されたコレクタカード用包装を含むコレクタカード包装アセンブリにおいて、
前記中央部分の上、ならびに、前記上部フラップ、前記下部フラップ、前記第１の側部フラップおよび前記第２の側部フラップの下に位置付けされるように前記包装内に寸法付けされ、かつ収容された、限られた数のコレクタカードをさらに含むことを特徴とするコレクタカード包装アセンブリが提供される。
【００１０】
本発明による包装アセンブリは、コレクタカードを確実に挿入するための十分なクリアランスがないであろう場合と同様に、予め形成された従来のカード箱内に挿入する必要がある場合に包装することができるカードの数よりも少ない限られた数のカード用に、効率的に製造することができる包装アセンブリを可能にする。さらに、この単純な設計では、前記上部フラップおよび前記下部フラップをそれぞれ、上部折畳域または下部折畳域に沿って折り畳むことにより、前記上部フラップおよび前記下部フラップを露出させることができない。コレクタカード用の適切な不正開封防止包装のすべての要件を満たしながら、先行技術に関する問題をすべて克服するコレクタカード用包装を得るために、単一のフラップのみに糊を施す必要があるだけである。
【００１１】
本発明の実施形態によれば、前記限られた数は、１〜２５、例えば１〜１５、好ましくは１〜１０の範囲にある。
【００１２】
本発明の別の実施形態によれば、前記限られた数のコレクタカードは、積み上げられた時、厚さが１０ｍｍ未満、例えば８ｍｍ未満、好ましくは５ｍｍ未満である。
【００１３】
本発明の実施形態によれば、前記折畳域は、少なくとも１つの折畳線を含む。
【００１４】
折畳線は、単一の材料シートの従来の印刷中および／または加工中に、単一の材料シート上に容易に施すことができる。これにより、単一のシートを従来の手段で製造することができる。
【００１５】
本発明の好ましい実施形態によれば、前記折畳域は、複数の平行な折畳線を含む。
【００１６】
これにより、包装は、含むべき積み上げられたコレクタカードの正確な高さについて柔軟になる。複数の折畳線により、包装は適応的に、積み上げられたコレクタカードのこの厚さに適合することができるようになる。したがって、本パッケージは、それを製造する単一の材料シートの設計を適合させる必要なく、様々な前記限られた数のコレクタカードに使用することができる。
【００１７】
任意選択で、少なくとも１つの抜き取り可能なカードが、前記単一の材料シート上に予め印刷される。任意選択で、この少なくとも１つの抜き取り可能なカードは、前記少なくとも１つの抜き取り可能なカードを前記単一の材料シートから抜き取るためのミシン目が入った縁部を含む。
【００１８】
これにより、パッケージによって十分に保護されるため、高品質コレクタカードを、包装自体に組み入れることができ、したがって、従来の印刷手段および加工手段によって包装用単一シートを製造する工程中に効率的に製造することができる、いくつかのより低品質のカードまたはアイテムと組み合わせることができる。
【００１９】
本発明の実施形態によれば、前記単一の材料シートは、紙またはボール紙の単一シートである。第１の側部フラップおよび第２の側部フラップによって形成された前記上部フラップおよび前記下部フラップのカバーから、前記上部フラップおよび前記下部フラップを塑性変形なく抜き取ることができないように、前記単一の材料シートは十分硬質であることが好ましい。
【００２０】
この結果、上部フラップおよび下部フラップに糊を施す必要がないため、非常に効率的に製造することができる、環境に優しく、不正開封防止の、品質的なコレクタカード用包装が得られる。
【００２１】
本発明の第２の態様によれば、本発明の第２の態様による前記コレクタカード包装アセンブリを製造するための方法において、
−コレクタカード用包装の前記第１の側辺と実質的に平行な搬送方向に沿って、前記コレクタカード用包装を連続的に移動させるステップと、
−上部フラップと中央部分との角度が中間値に達し、下部フラップと中央部分との角度もまた中間値に達するまで、上部フラップおよび下部フラップをそれぞれ、前記上部折畳域および前記下部折畳域に沿って前記矩形中央部分の方へ折り畳み、前記中間値が、０°より大きく１８０°未満、好ましくは６０°より大きく１２０°未満、例えば１００°であるステップと、
−前記矩形中央部分の上に、１つまたは複数のコレクタカードを配置するステップと、
−前記上部フラップおよび前記下部フラップをそれぞれ、前記上部折畳域および前記下部折畳域に沿って前記矩形中央部分の方へ折り畳むステップと、
−続いて、前記第１の側部フラップを前記第１の側部折畳域に沿って前記中央部分の方へ折り畳むステップと、
−前記矩形中央部分とは反対に面する前記第１の側部フラップの面に、糊を施すステップと、
−続いて、前記第２の側部フラップを、糊が施された前記第１の側部フラップの面と接触するように、前記第２の側部折畳域に沿って前記中央部分の方へ折り畳むステップと、
を含むことを特徴とする製造方法が提供される。
【００２２】
この製造方法は、搬送方向と直交する方向に糊を塗布する必要がないだけでなく、コレクタカードが挿入されながらパッケージに対し自己整列し、正確なタイミング合わせの必要性を低下させることができるため、処理能力を増加させることができる。
【００２３】
好ましい実施形態によれば、前記矩形中央部分の上に１つまたは複数のコレクタカードを配置する前に、第１の側部折畳域と中央部分との角度が中間値に達するまで、前記第１の側部フラップが、前記第１の側部折畳域に沿って前記矩形中央部分の方へ折り畳まれ、前記中間値が、０°より大きく１８０°未満、好ましくは６０°より大きく１２０°の未満、例えば９０°である。
【図面の簡単な説明】
【００２４】
【図１】図１は、本発明によるコレクタカード用包装を製造するための単一の材料シートを示す。
【図１Ａ】図１Ａは、図１の線Ａ−Ａに沿った部分断面図を概略的に示す。
【図１Ｂ】図１Ｂは、図１の線Ｂ−Ｂに沿った部分断面図を概略的に示す。
【図１Ｃ】図１Ｃは、図１の線Ｃ−Ｃに沿った部分断面図を概略的に示す。
【図１Ｄ】図１Ｄは、図１の線Ｄ−Ｄに沿った部分断面図を概略的に示す。
【図２】図２は、図１に示す単一の材料シート上で行われる中間製造ステップを示す。
【図２Ａ】図２Ａは、線Ａ−Ａに沿った図２の部分断面図を示す。
【図２Ｂ】図２Ｂは、線Ｂ−Ｂに沿った図２の部分断面図を示す。
【図２Ｃ】図２Ｃは、線Ｃ−Ｃに沿った図２の部分断面図を示す。
【図２Ｄ】図２Ｄは、線Ｄ−Ｄに沿った図２の部分断面図を示す。
【図３】図３は、図１に示す単一の材料シート上で行われる別の中間製造ステップを示す。
【図３Ａ】図３Ａは、線Ａ−Ａに沿った図３の部分断面図を示す。
【図３Ｂ】図３Ｂは、線Ｂ−Ｂに沿った図３の部分断面図を示す。
【図３Ｃ】図３Ｃは、線Ｃ−Ｃに沿った図３の部分断面図を示す。
【図３Ｄ】図３Ｄは、線Ｄ−Ｄに沿った図３の部分断面図を示す。
【図４】図４は、図１に示す単一の材料シートから製造されたコレクタカード用包装を示す。
【図４Ａ】図４Ａは、図４の線Ａ−Ａに沿った部分断面図を概略的に示す。
【図４Ｂ】図４Ｂは、図４の線Ｂ−Ｂに沿った部分断面図を概略的に示す。
【図４Ｃ】図４Ｃは、図４の線Ｃ−Ｃに沿った部分断面図を概略的に示す。
【図４Ｄ】図４Ｄは、図４の線Ｄ−Ｄに沿った部分断面図を概略的に示す。
【図５】図５は、図４によるコレクタカード用包装の代替の実施形態を示す。
【図６】図６は、本発明によるコレクタカード包装アセンブリを示す。
【図６Ａ】図６Ａは、図６の線Ａ−Ａ沿った部分断面図を概略的に示す。
【図６Ｂ】図６Ｂは、図６の線Ｂ−Ｂ沿った部分断面図を概略的に示す。
【図６Ｃ】図６Ｃは、図６の線Ｃ−Ｃ沿った部分断面図を概略的に示す。
【図６Ｄ】図６Ｄは、図６の線Ｄ−Ｄ沿った部分断面図を概略的に示す。
【図７】図７は、図６によるコレクタカード包装アセンブリを形成するためにコレクタカード用包装へコレクタカードを挿入するための中間製造ステップを示す。
【図７Ａ】図７Ａは、図７の線Ａ−Ａに沿った部分断面図を概略的に示す。
【図７Ｂ】図７Ｂは、図７の線Ｂ−Ｂに沿った部分断面図を概略的に示す。
【図７Ｃ】図７Ｃは、図７の線Ｃ−Ｃに沿った部分断面図を概略的に示す。
【図７Ｄ】図７Ｄは、図７の線Ｄ−Ｄに沿った部分断面図を概略的に示す。
【発明を実施するための形態】
【００２５】
図１は、図４に示す本発明の実施形態によるコレクタカード用包装２を製造するための単一の材料シート１を示す。この単一の材料シート１は、適切な紙またはボール紙の単一シートが好ましいが、代替として、適切なプラスチックシートでも可能である。単一の材料シート１は、保持すべきコレクタカードの寸法に一般に対応する幅１２、高さ１４の矩形中央部分１０を含む。この中央部分１０の周囲は、上辺２０、下辺３０、第１の側辺４０および第２の側辺５０を含む。上部フラップ２２が、上辺２０と平行な４つの折畳線１００を含む上部折畳域２４によって、上辺２０に連結されている。下部フラップ３２が、下辺３０と平行な４つの折畳線１００を含む下部折畳域３４によって、中央部分１０の下辺３０に連結されている。第１の側部フラップ４２が、第１の側辺４０と平行な４つの折畳線１００を含む第１の側部折畳域４４によって、第１の側辺４０に連結されている。第２の側部フラップ５２が、第２の側辺５０と平行な４つの折畳線１００を含む第２の側部折畳域５４によって、第２の側辺５０に連結されている。
【００２６】
この特定の実施形態では、折畳域２４、３４、４４、５４はそれぞれ、中央部分１０のそれぞれの辺２０、３０、４０、５０と平行な４つの折畳線１００を含む。これらの折畳線１００は、例えば、長手方向の、予め形成され、かつ辺２０、３０、４０、５０と平行な凹部またはナッジとして形成することができる。代替の実施形態によれば、それぞれの折畳域２４、３４、４４、５４は、さらに以下で説明するような１つまたは複数の折畳線１００を含み得るであろう。
【００２７】
一般に、折畳域２４、３４、４４、５４は、それぞれのフラップ２２、３２、４２、５２を、中央部分１０のそれぞれの辺２０、３０、４０、５０と平行な軸に沿って折り畳むことができるように形成される。これにより、図１Ａ〜１Ｄの部分断面図に示すように、それぞれのフラップ２２、３２、４２、５２と、中央部分１０とのそれぞれの角度２５、３５、４５、５５を所定値に設定することができる。中央部分１０およびそれぞれのフラップ２２、３２、４２、５２はそれぞれ、操作された時、より柔軟な折畳域２４、３４、４４、５４に沿って折り畳まる傾向があるように、十分に硬質である。このように、さらに以下で説明するように、これらのフラップ２２、３２の塑性変形なく、図４に示すコレクタカード用包装２から上部フラップまたは下部フラップを抜き取ることはできない。
【００２８】
図１に示すように、それぞれのフラップ２２、３２、４２、５２の各々は、一般に中央部分１０のそれらの対応する辺２０、３０、４０、５０と直交する方向に沿った、それらの深さ２６、３６、４６、５６と呼ぶそれぞれの寸法を含む。それぞれの折畳域２４、３４、４４、５４の各々はまた、一般に中央部分１０のそれらの対応する辺２０、３０、４０、５０と直交する方向に沿った、それらの深さ２８、３８、４８、５８と呼ぶそれぞれの寸法を含む。
【００２９】
図１は、図４に示す本発明の実施形態によるコレクタカード用包装２を製造するための単一の材料シート１であって、その製造方法における第１のステップの前の単一の材料シート１を示す。単一の材料シート１のこの状態では、それぞれのフラップ２２、３２、４２、５２間のそれぞれの角度２５、３５、４５、５５は、約１８０°である。例えばこれは、例えばコレクタカードを印刷および加工するのに適してもいる印刷機および／または加工機で印刷された後の、単一の材料シート１の状態である。
【００３０】
コレクタカード用包装２の実施形態を形成するための第１の製造ステップでは、上部フラップ２２および下部フラップ３２をそれぞれ、前記上部折畳域２４および前記下部折畳域３４に沿って矩形中央部分１０の方へ折り畳む。折り畳み中、上部フラップ２２と矩形中央部分１０との角度２５を、約１８０°から約０°に減少させ、下部フラップ３２と矩形中央部分１０との角度３５もまた、約１８０°から約０°に減少させるが、このことは、上部フラップ２２および下部フラップ３２の両方を、約１８０°の角度にわたって折り畳むことを意味する。この製造ステップの最後に、単一の材料シート１は、図２、ならびに図２Ａ、図２Ｂ、図２Ｃおよび図２Ｄに示す対応する断面図に示すような状態に達する。
【００３１】
後の製造ステップ中にもまた、単一の材料シート１が図３、ならびに図３Ａ、３Ｂ、３Ｃおよび３Ｄに示す対応する断面図に示すような構成に達するまで、第１の側部フラップ４２を、その第１の側部折畳域４４に沿って中央部分１０の方へ折り畳む。第１の側部折畳域４４と中央部分との角度４５もまた、約１８０°から約０°に減少させる。図３に示すように、矩形中央部分１０とは反対に面する第１の側部フラップ４２の面４８に糊６０を施す。この糊または他の適切な接着剤は、中央部分の第１の側辺４０に略平行に延びる。この糊６０は、第１の側部フラップ４２を中央部分１０上に折り畳んだ後に塗布することができるが、代替的に、単一の材料片１の製造工程中に既に塗布した糊のストリップでもあり得るであろう。
【００３２】
続いて、第２の側部フラップ５２を、第２の側部折畳域５４に沿って中央部分１０の方へ折り畳む。図４、ならびに図４Ａ、４Ｂ、４Ｃおよび４Ｄの対応する断面図に示すように、第２の側部フラップ５２と中央部分との角度５５もまた、約１８０°から約０°に減少させる。このように、第２の側部フラップ５２は、糊６０が施された第１の側部フラップの面４８と接触するため、面４８に貼り付く。
【００３３】
コレクタカードを完全に収容することができるコレクタカード用パッケージ２を得るために、第１の側部フラップ４２および第２の側部フラップ５２を、図４に示すように前記中央部分１０上に折り畳む時に前記中央部分１０を完全に覆うことができるように寸法付けすることが不可欠である。
【００３４】
さらに、上部フラップ２２および下部フラップ３２を第１の側部フラップ４２および第２の側部フラップ５２で覆う時に、それぞれ上部折畳域２４または下部折畳域３４に沿って上部フラップ２２および下部フラップ３２を折り畳むことにより、上部フラップ２２および下部フラップ３２をもはや露出させることができないように寸法付けることが不可欠である。このように、第１の側部フラップ４２および第２の側部フラップ５２によって形成された上部フラップ２２および下部フラップ３２のカバーから、上部フラップ２２および下部フラップ３２を塑性変形なく抜き取ることができないように、糊または任意の他の適切な接着剤を施さずに、上部フラップ２２および下部フラップ３２はコレクタカード用不正開封防止収容物を形成することができる。単一の材料シート１は、第１の側部フラップ４２および第２の側部フラップ５２によって形成された前記上部フラップ２２および前記下部フラップ３２のカバーから、前記上部フラップ２２および前記下部フラップ３２を塑性変形なく抜き取ることができないように、折畳域を除く領域において十分硬質であることが好ましい。そのような上部フラップ２２または下部フラップ３２を除去することは達成するのが難しく、上部フラップまたは下部フラップに必然的に破損をもたらし、これは、パッケージが以前に既に開封されたことを示すであろう。これを達成するために、図１〜図４の実施形態に示すように、上部フラップおよび下部フラップ２２、３２の深さ２６、３６はそれぞれ、上部折畳域および下部折畳域２４、３４の深さ２８、３８を超える。
【００３５】
この特定の実施形態では、折畳域２４は、上辺２０と平行な４つの折畳線１００を含み、折畳線１００は、例えば長手方向の、予め形成され、かつ上辺２０と平行な凹部またはナッジであり得るであろう。代替の実施形態によれば、この折畳域２４は、１つまたは複数のそのような折畳線１００を含み得るであろう。単一の折畳線１００を含む折畳域２４は、限られた数、例えば１〜５のコレクタカードに適するであろう。折り畳み中に使用されている折畳域２４の折畳線１００の数は、包装２内の積み上げられたコレクタカードの高さに適合するため、複数の折畳線１００を備えた折畳域２４は、コレクタカード用包装２を、事前に知られてはならない様々な数のコレクタカードに使用することができるという利点を有する。
【００３６】
任意選択で、図５に示す代替の実施形態によれば、１つまたは複数の抜き取り可能なカード２００を、単一の材料シート１上に予め印刷することができ、好ましくは、単一の材料シート１から容易に抜き取るためのミシン目が入った縁部を含む。これらの抜き取り可能なカードは、例えばコレクタカードの内容において価値がより低いカードであり得るであろう。別の代替の実施形態によれば、複数のそのような抜き取り可能なカード２００を備えることができ、さらに別の代替方法によれば、これらの抜き取り可能なカード２００が、例えばパズルピース、円形形状もしくは楕円形状、または任意の他の適切な形状に類似し得るであろう従来の矩形カード形状と異なる任意の形状を含み得るであろう。
【００３７】
コレクタカード用包装２に、１つまたは複数のコレクタカードを充填すると、図６、ならびに図６Ａ、図６Ｂ、図６Ｃおよび図６Ｄの対応する断面図に示すコレクタカード包装アセンブリが形成される。本発明によるこのコレクタカード包装アセンブリは、矩形中央部分１０の寸法を超えない適切な寸法の限られた数のコレクタカード３００を確実に収容することができ、前記包装内の不正開封防止を可能にする。次いで、この限られた数のコレクタカード３００を、中央部分１０の上、ならびに上部フラップ２２、下部フラップ３２、第１の側部フラップ４２および第２の側部フラップ５２の下に位置付けする。コレクタカード３００の数は、積み上げられた時に、この限られた数のコレクタカード３００の厚さが１０ｍｍ未満、例えば８ｍｍ未満、好ましくは５ｍｍ未満であるように、１〜２５、例えば１〜１５、好ましくは１〜１０の範囲に限定する。
【００３８】
ここで、図６に示すようなコレクタカード包装アセンブリを製造するための好ましい方法をより詳細に説明する。１つまたは複数のコレクタカード３００を前記矩形中央部分１０の上に効率的かつ確実に配置するために、特に本製造方法で連続製造ラインを使用する場合、上部フラップ２２および下部フラップ３２を、中央部分上に挿入しているコレクタカードを揃えるためのガイドとして使用する。これは、１つまたは複数のコレクタカード３００の挿入前に、上部フラップ２２および下部フラップ３２をそれぞれ、上部折畳域および下部折畳域に沿って矩形中央１０の方へ折り畳む製造ステップによって達成する。しかしながら、上部フラップ２２と中央部分１０との角度２５が中間値に達するまでのみ、上部フラップ２２を折り畳む。また、下部フラップ３２と中央部分１０との角度３５が中間値に達するまでのみ、下部フラップを折り畳む。この中間値は、０°より大きく１８０°未満であるべきであるが、中間で折り畳んだ上部フラップ２２および下部フラップ３２が、矩形中央部分１０上にコレクタカードを配置するための良好なクリアランスを有しながら、同時に重力によって中央部分１０上にコレクタカード３００を揃える効果を達成するのに十分な角度を保持するために、この中間値は、好ましくは６０°より大きく１２０°未満、例えば図７に示すように９０°または１００°である。続いて、１つまたは複数のコレクタカード３００を前記矩形中央部分１０の上に配置することは、矩形中央部分１０にコレクタカード３００を揃えるためのある程度の公差をもって可能になる。前に図１〜図４を参照して説明したように、包装２のための製造方法は、それぞれの角度２５、３５が０°に近づくように、前記上部フラップ２２および前記下部フラップ３２をそれぞれ、前記上部折畳域および前記下部折畳域に沿って前記矩形中央部分１０の方へ折り畳むことによって完了することができる。続いて、第１の側部フラップ４２を第１の側部折畳域４４に沿って中央部分１０の方へ折り畳み、角度４５もまた０°に近づく。前記矩形中央部分（１０）とは反対に面する第１の側部フラップの面４８に糊６０を施す。続いて、第２の側部フラップ５２を、糊６０が施された第１の側部フラップ４２の面４８に接触するように、第２の側部折畳域５４に沿って中央部分１０の方へ折り畳む。
【００３９】
好ましい実施形態によれば、図７、ならびに図７Ａ、図７Ｂ、図７Ｃおよび図７Ｄの対応する断面図に示すように、矩形中央部分１０の上に１つまたは複数のコレクタカード３００を配置する前に、角度４５がそのような中間値に達するまで、第１の側部フラップ４２もまた、前記第１の側部折畳域４４に沿って前記矩形中央部分１０の方へ折り畳む。さらに、図７に示すような別の好ましい実施形態によれば、角度５５がそのような中間値に達するまで、第２の側部フラップ５２もまた折り畳む。ここで図７に示すように、包装２は前記コレクタカード用包装２の第１の側辺２０と実質的に平行な搬送方向Ｆに沿って連続的に移動し、一方、製造工程中に矩形中央部分１０上に配置されたコレクタカード３００は、影響を受けて矩形中央部分１０に自動的に揃う。したがって、そのような高速製造工程中に、タイミング合わせのばらつきと、コレクタカード３００の包装２に対するコレクタカード３００の位置ずれとを本質的に補償することができるため、本製造方法は、先行技術の製造方法よりもはるかに高い処理能力を達成することができる。さらに、本製造方法は、包装２がその搬送方向Ｆに沿って糊塗布装置を通過しながら、例えば固定された位置から糊６０を塗布することができるように、単一の側部フラップ４２に糊６０を塗布することを必要とするのみである。したがって、搬送方向Ｆと直交して行うべき密封作業はこれ以上必要なく、密封作業のタイミング合わせの必要性が有利に低下し、先例がない処理能力を可能にする。
【００４０】
本発明について特定の実施形態を参照して示してきたが、本発明は先の例示的実施形態の詳細に限定されず、本発明はその範囲から逸脱することなく、様々な変更および修正を行って具体化してもよいことは当業者にとって明白である。したがって、本実施形態は、すべての点において例示的であり、限定的でないものとして考えられるべきであり、先の記述によってではなく添付の特許請求の範囲によって本発明の範囲を示す。したがって、特許請求の範囲の等価の意味および範囲の中に入るすべての変更は、特許請求の範囲に包含されるものとする。言いかえれば、基礎的な根本原理の範囲内にあり、かつ、その本質的な属性が本特許出願で請求している全ての修正、変更または等価物をカバーすると考えられる。さらに、用語「含む」は他の要素またはステップを排除しないことと、用語「１つの」は複数を排除しないことと、コンピュータシステム、プロセッサまたは別の一体型ユニットなどの単一の要素は、特許請求の範囲に記載するいくつかの手段の機能を発揮してもよいこととが、本特許出願の読者によって理解される。特許請求の範囲内のいかなる参照符号も、関係するそれぞれの特許請求の範囲を限定するとして解釈されないものとする。用語「第１の」、「第２の」、「第３の」、「ａ」、「ｂ」、「ｃ」などは、説明または特許請求の範囲で使用する場合、同様の要素またはステップを区別するために導入し、実施する順すなわち時系列順について必ずしも説明していない。同様に、用語「上部の」、「底部の」、「上に」、「下に」などは説明のために導入したが、必ずしも相対位置を示していない。そのように使用する用語は適切な状況下で交換可能であり、本発明の実施形態は、上で説明もしくは示したものと異なる他の順番または配向で、本発明によって動作することができることが理解されるべきである。
【図１】
2014528388.tif 000003
【図１Ａ】
2014528388.tif 000004
【図１Ｂ】
2014528388.tif 000005
【図１Ｃ】
2014528388.tif 000006
【図１Ｄ】
2014528388.tif 000007
【図２】
2014528388.tif 000008
【図２Ａ】
2014528388.tif 000009
【図２Ｂ】
2014528388.tif 000010
【図２Ｃ】
2014528388.tif 000011
【図２Ｄ】
2014528388.tif 000012
【図３】
2014528388.tif 000013
【図３Ａ】
2014528388.tif 000014
【図３Ｂ】
2014528388.tif 000015
【図３Ｃ】
2014528388.tif 000016
【図３Ｄ】
2014528388.tif 000017
【図４】
2014528388.tif 000018
【図４Ａ】
2014528388.tif 000019
【図４Ｂ】
2014528388.tif 000020
【図４Ｃ】
2014528388.tif 000021
【図４Ｄ】
2014528388.tif 000022
【図５】
2014528388.tif 000023
【図６】
2014528388.tif 000024
【図６Ａ】
2014528388.tif 000025
【図６Ｂ】
2014528388.tif 000026
【図６Ｃ】
2014528388.tif 000027
【図６Ｄ】
2014528388.tif 000028
【図７】
2014528388.tif 000029
【図７Ａ】
2014528388.tif 000030
【図７Ｂ】
2014528388.tif 000031
【図７Ｃ】
2014528388.tif 000032
【図７Ｄ】
2014528388.tif 000033
【国際調査報告】
2014528388.tif 000034
2014528388.tif 000035